(57)【特許請求の範囲】
【請求項１】
梁間方向に沿って伸延する一対の長尺縁部とこれら各長尺縁部を挟み込み桁方向に沿って伸延する一対の短尺縁部とによって区画された輪郭形状を有する屋根材本体と、この屋根材本体の各長尺縁部のそれぞれに沿って一体的につながる上ハゼ、下ハゼとを備え、
前記短尺縁部を、前記屋根材本体に隣接配置する他の屋根材の短尺縁部に重ね合わせて屋根材同士を梁間方向へ接続する一方、前記上ハゼ、下ハゼを、隣接配置する他の屋根材の下ハゼ、上ハゼにそれぞれ嵌合させて屋根材同士を桁方向へ接続して建築構造物の屋根を葺きあげる嵌合式の屋根材であって、
前記屋根材本体の一方の短尺縁部に、該短尺縁部に沿って伸延する幅を有しその相互間にて段差を形成して一体的につながる継手片を設け、
前記継手片に、前記上ハゼの長手方向の端部に段差を介してつながり、隣接配置する他の屋根材の上ハゼに嵌合可能な第一のハゼと、前記下ハゼの長手方向の端部に段差を介してつながり、隣接配置する他の屋根材の下ハゼに嵌合可能な第二のハゼを形成し、
前記第一のハゼは、前記第二のハゼよりも大きな嵌合用の内部空間を備えた頭部を有することを特徴とする嵌合式屋根材。
【請求項２】
前記継手片は、隣接配置する他の屋根材の短尺縁部に重ね合わさってその相互間にて平坦な外表面を形成する段差代を有することを特徴とする請求項１に記載した嵌合式屋根材。
【請求項３】
前記第一のハゼは、その頭部に、隣接配置する他の屋根材の下ハゼを嵌合可能に保持する内部空間を有することを特徴とする請求項１または２に記載した嵌合式屋根材。
【請求項４】
前記下ハゼは、その頭部に、前記第一のハゼを嵌合可能に保持する内部空間を有することを特徴とする請求項１または２に記載した嵌合式屋根材。
【請求項５】
前記継手片に、接続部から侵入した雨水を前記屋根材本体の幅方向端部に向けて誘導する複数の水切り傾斜リブを設けたことを特徴とする請求項１〜４のいずれか１に記載した嵌合式屋根材。
【請求項６】
前記屋根材本体は、幅方向の中央部をその長手方向に沿って隆起させた山部と、該山部、上ハゼ、下ハゼを相互につなぐ板状体からなることを特徴とする請求項１〜５のいずれか１に記載した嵌合式屋根材。
【請求項７】
前記屋根材本体は、下向きに凸となる湾曲断面形状をなす板状体からなることを特徴とする請求項１〜５のいずれか１に記載した嵌合式屋根材。
【請求項８】
前記屋根材本体は、その裏面にて貼付された断熱材を有することを特徴とする請求項１〜７のいずれか１に記載した嵌合式屋根材。
【請求項９】
請求項１〜８のいずれか１に記載した嵌合式屋根材の接続構造において、
前記屋根材本体の短尺縁部に設けた継手片に、隣接配置する他の屋根材の短尺縁部を重ね合わせるとともに、第一のハゼ、第二のハゼに、該隣接配置する他の屋根材の上ハゼ、下ハゼを嵌合させて屋根材同士を梁間方向に接続する一方、前記屋根材本体の下ハゼに、隣接配置する他の屋根材の上ハゼ、前記第一のハゼを嵌合させて屋根材同士を桁方向に接続してなることを特徴とする嵌合式屋根材の接続構造。
【請求項１０】
請求項１〜３、請求項５〜８のいずれか１に記載した嵌合式屋根材の接続方法において、
前記屋根材本体の短尺縁部に設けた継手片に、隣接配置する他の屋根材の短尺縁部を重ね合わせるとともに、該他の屋根材の上ハゼ、下ハゼを、前記屋根材本体の第一のハゼ、第二のハゼに嵌合させて屋根材同士を梁間方向に接続し、これを、棟に達するまで継続して行うことにより屋根材を設置し、その梁間方向の接続作業が完了したならば、既に設置した屋根材の前記屋根材本体の下ハゼに、隣接配置する他の屋根材の上ハゼを嵌合させるとともに、梁間方向に接続した他の屋根材の下ハゼに第一のハゼを嵌合させて屋根材同士を桁方向に接続しつつ、既に設置した屋根材と同様の作業を、棟に達するまで継続して行うことにより次の列の屋根材を設置し、以降、この作業を繰り返し行うことによって建築構造物の屋根を葺きあげることを特徴とする嵌合式屋根材の接続方法。
【請求項１１】
請求項１または請求項２、請求項４〜８のいずれか１に記載した嵌合式屋根材の接続方法において、
前記屋根材本体の下ハゼと第二のハゼに、隣接配置する他の屋根材の上ハゼ、第一のハゼを嵌合させて屋根材同士を桁方向に接続し、これを一方の「けらば」からもう一方の「けらば」に達するまで継続して行うことにより屋根材を設置し、その桁方向の接続作業が完了したならば、既に固定した屋根材の棟側で、前記屋根材本体の短尺縁部に設けた継手片に、隣接配置する他の屋根材の短尺縁部を重ね合わせるとともに、前記第一のハゼに、該他の屋根材の上ハゼを嵌合させる一方、桁方向に接続した他の屋根材の第一のハゼに、該他の屋根材の下ハゼを嵌合させて屋根材同士を梁間方向に接続しつつ、既に固定した屋根材と同様の作業を、一方の「けらば」からもう一方の「けらば」に達するまで継続して行うことにより次の段の屋根材を設置し、以降、この作業を繰り返し行うことによって建築構造物の屋根を葺き上げることを特徴とする嵌合式屋根材の接続方法。
【発明の詳細な説明】
【技術分野】
【０００１】
本発明は、一般住宅や事務所、マンション、福祉施設、リゾート施設等の屋根において幅広く使用される、嵌合式屋根材（縦葺き、横葺きの両方を含む）、その屋根材を用いた接続構造および接続方法に関するものである。
【背景技術】
【０００２】
一般に、縦葺き屋根は、屋根材本体が、梁間方向（軒から棟に沿う向き）に長く、桁方向(軒に沿う向き)に短い、長尺、幅狭の屋根材を使用するのが普通であり、梁間方向における屋根材同士の接続を終えてから桁方向に屋根材同士を接続する作業を繰り返し行うことによって屋根全体を葺きあげるものである。
【０００３】
一方、横葺き屋根は、屋根材本体が、桁方向に長く、梁間方向に短い短尺、幅広の屋根材を使用するのが普通であり、桁方向における屋根材同士の接続を終えたのち、梁間方向に屋根材同士を接続する作業を繰り返し行うことによって屋根全体を葺きあげるものである。
【０００４】
上記の屋根材は、屋根材の葺き方に違いがあるものの、何れのものも、屋根材の相互間に接続手段を介在させて屋根材同士を相互につなぎあわせるものであり、この点に関しては、特許文献１〜３に開示されている如き屋根材が知られている。
【先行技術文献】
【特許文献】
【０００５】
【特許文献１】特開昭６２―９９５４５号公報
【特許文献２】特開平８―１７７１７２号公報
【特許文献３】特開平９―１２５６２１号公報
【発明の概要】
【発明が解決しようとする課題】
【０００６】
上記特許文献１に開示の屋根材は、具体的には、屋根の野地板上に設けられた瓦棒の各々に上面側より補強材を嵌着したのち、該瓦棒の上面にリブを当接させて固定し、次いで該瓦棒の間に、屋根材を接続しつつ敷設する。そして、補強材及びこの補強材の下端より湾曲部にかけて当接・被覆している屋根材の立上がり部ごと、包み材で覆い、該瓦棒の軒の末端部分にキャップを配置して瓦棒の側縁処理と末端処理を行うものである。
【０００７】
また、上記特許文献２に開示の屋根材は、屋根板同士を流れ方向に接続する継手部材を、側端部が排水部材の流水空間内に臨む捨板部材と捨板部材内に配設され、内部に少なくとも１つの溝部が形成された止水部材を備えたもので構成し、該継手部材の棟側に敷設する屋根材の軒側端部と、同じく軒側に敷設する屋根材の棟側端部にそれぞれ折下部を形成し、該折下部を上記止水部位材の溝部に挿入して流れ方向に隣接する屋根板同士を相互に接続するものである。  
【０００８】
さらに、特許文献３に開示の屋根材は、板材の中央部に面板部を、その左右側縁に内側立上り部をそれぞれ設け、該内側立上り部の外側に排水溝を介して外側立上り部を形成して、該外側立上り部の係合部を、下地上に所定間隔で設置された保持部材に係合させるようにしたものである。
【０００９】
ところで、上記特許文献１〜３に開示された従来の屋根材は、とくに、屋根材同士をつなぎ合わせるに当たっては、複数の部材から構成された接続手段を用いる必要があることから、屋根材を効率的に葺きあげるのが困難であり、しかも、部品点数の増加に伴って漏水のリスクが懸念されるとともに、製品コストの上昇も避けられないという問題があった。
【００１０】
そこで、本発明の目的は、防水性が高く、部品点数の増加を伴うことなしに効率的に建築構造物の屋根を葺きあげることができる嵌合式屋根材、その屋根材の接続構造および接続方法を提案するところにある。
【課題を解決するための手段】
【００１１】
本発明は、梁間方向に沿って延伸する一対の長尺縁部とこれら各長尺縁部を挟み込み桁方向に沿って延伸する一対の短尺縁部とによって区画された輪郭形状を有する屋根材本体と、この屋根材本体の各長尺縁部のそれぞれに沿って該長尺縁部に一体的につながる上ハゼ、下ハゼとを備え、前記短尺縁部を、前記屋根材本体に隣接配置する他の屋根材の短尺縁部に重ね合わせて屋根材同士を梁間方向へ接続する一方、前記上ハゼ、下ハゼを、隣接配置する他の屋根材の下ハゼ、上ハゼにそれぞれ嵌合させて屋根材同士を桁方向へ接続して建築構造物の屋根を葺きあげる嵌合式の屋根材であって、前記屋根材本体の一方の短尺縁部に、該短尺縁部に沿って延伸する幅を有しその相互間にて段差を形成して一体的につながる継手片を設け、前記継手片に、前記上ハゼの長手方向の端部に段差を介してつながり、隣接配置する他の屋根材の上ハゼに嵌合可能な第一のハゼと、前記下ハゼの長手方向の端部に段差を介してつながり、隣接配置する他の屋根材の下ハゼに嵌合可能な第二のハゼを形成し、前記第一のハゼは、前記第二のハゼよりも大きな嵌合用の内部空間を備えた頭部を有することを特徴とする嵌合式屋根材である。
【００１２】
上記の構成からなる嵌合式屋根材においては、
１）記継手片が、隣接配置する他の屋根材の短尺縁部に重ね合わさってその相互間にて平坦な外表面を形成する段差代を有するものとすること、
２）第一のハゼの頭部に、隣接配置する他の屋根材の前記下ハゼを嵌合可能に保持する内部空間を設けておくこと、
３）下ハゼの頭部に、隣接配置する他の屋根材の前記第一のハゼを嵌合可能に保持する内部空間を設けておくこと、
４）継手片に、接続部から侵入した雨水を屋根材本体の幅端に向けて誘導する複数の水切り傾斜リブを設けておくこと、
５）屋根材本体の幅方向の中央部に、その長手方向に沿って隆起させて山部を設け、この山部と、上ハゼ、下ハゼをそれぞれ板状体を介して一体連結した断面形状を有するものとすること、
６）屋根材本体を、下向きに凸となる湾曲断面形状をなす板状体から構成すること、さらに、
７）屋根材本体の裏面に、断熱材を貼付しておくこと、
が本発明の課題解決のための具体的手段として好ましい。
【００１３】
また、本発明は、上記の構成からなる嵌合式屋根材の接続構造において、前記屋根材本体の短尺縁部に設けた継手片に、隣接配置する他の屋根材の短尺縁部を重ね合わせるとともに、第一のハゼ、第二のハゼに、該隣接配置する他の屋根材の上ハゼ、下ハゼを嵌合させて屋根材同士を梁間方向に接続する一方、前記屋根材本体の下ハゼに、隣接配置する他の屋根材の上ハゼ、前記第一のハゼを嵌合させて屋根材同士を桁方向に接続してなることを特徴とする嵌合式屋根材の接続構造である。
【００１４】
また、本発明は、上記の構成からなる嵌合式屋根材の接続方法において、前記屋根材本体の短尺縁部に設けた継手片に、隣接配置する他の屋根材の短尺縁部を重ね合わせるとともに、該他の屋根材の上ハゼ、下ハゼを、前記屋根材本体の第一のハゼ、第二のハゼに嵌合させて屋根材同士を梁間方向に接続し、これを、棟に達するまで継続して行うことにより屋根材を設置し、その梁間方向の接続作業が完了したならば、既に設置した屋根材の前記屋根材本体の下ハゼに、隣接配置する他の屋根材の上ハゼを嵌合させるとともに、梁間方向に接続した他の屋根材の下ハゼに第一のハゼを嵌合させて屋根材同士を桁方向に接続しつつ、既に設置した屋根材と同様の作業を、棟に達するまで継続して行うことにより次の列の屋根材を設置し、以降、この作業を繰り返し行うことによって建築構造物の屋根を葺きあげることを特徴とする嵌合式屋根材の接続方法である。
【００１５】
さらに、本発明は、上記の構成からなる嵌合式屋根材の接続方法において、前記屋根材本体の下ハゼと第二のハゼに、隣接配置する他の屋根材の上ハゼ、第一のハゼを嵌合させて屋根材同士を桁方向に接続し、これを一方の「けらば」からもう一方の「けらば」に達するまで継続して行うことにより屋根材を設置し、その桁方向の接続作業が完了したならば、既に固定した屋根材の棟側で、前記屋根材本体の短尺縁部に設けた継手片に、隣接配置する他の屋根材の短尺縁部を重ね合わせるとともに、前記第一のハゼに、該他の屋根材の上ハゼを嵌合させる一方、桁方向に接続した他の屋根材の第一のハゼに、該他の屋根材の下ハゼを嵌合させて屋根材同士を梁間方向に接続しつつ既に固定した屋根材と同様の作業を、一方の「けらば」からもう一方の「けらば」に達するまで継続して行うことにより次の段の屋根材を設置し、以降、この作業を繰り返し行うことによって建築構造物の屋根を葺き上げることを特徴とする嵌合式屋根材の接続方法である。
【発明の効果】
【００１６】
上記の構成からなる嵌合式屋根材においては、屋根材本体の一方の短尺縁部に、該屋根材本体の幅と同等な幅を有しその相互間にて段差を形成して一体的につながる継手片を設け、継手片に、上ハゼの長手方向の端部に段差を介してつながり、隣接配置する他の屋根材の上ハゼと同等の上ハゼの内部空間に嵌合可能な第一のハゼと、下ハゼの長手方向の端部に段差を介してつながり、隣接配置する他の屋根材の下ハゼと同等の下ハゼの内部空間に嵌合可能な第二のハゼを形成し、第一のハゼの頭部に、第二のハゼよりも大きな嵌合用の内部空間を設けたため、継手片を、隣接配置する屋根材の短尺縁部に重ね合わせるとともに、各ハゼを相互に嵌合させるだけの簡単な作業で屋根材同士を確実につなぎ合わせることができ、高い防水性を確保したまま、屋根の効率的な葺きあげが可能となる。また、余計な部材を必要としない単一部材で構成できるため、構造の簡素化が図られ、製品コストの低減を図ることができる。
【００１７】
また、本発明による嵌合式屋根材によれば、継手片が、隣接配置する他の屋根材の短尺縁部と同様の短尺縁部に重ね合わさってその相互間にて平坦な外表面を形成する段差代を有するものとしたため、屋根材の接続部が目立たず、意匠的にも優れたものとなる。
【００１８】
また、上記の構成からなる本発明の嵌合式屋根材によれば、下ハゼの頭部に、第一のハゼを嵌合可能に保持する内部空間を設けておくこととしたため、屋根材本体を、梁方向に効率的につなぎ合わせることができる（縦葺き）。
【００１９】
また、上記の構成からなる本発明の嵌合式屋根材によれば、下ハゼの頭部に、隣接配置する他の屋根材の第一のハゼに嵌合可能な内部空間を設けておくこととしたため、屋根材本体を、桁方向に効率的につなぎ合わせることができる（横葺き）。
【００２０】
また、本発明による嵌合式屋根材によれば、継手片に、接続部から侵入した雨水等を記屋根材本体の幅端に向けて誘導する複数の水切り傾斜リブを設けたため、屋根材のつなぎ目から雨水等が入り込んだとしても、ハゼ（第二のハゼ、第三のハゼ、上ハゼ、下ハゼ）に沿い速やかに軒に向けて流下させることが可能となり、防水性が高い。
【００２１】
また、上記の構成からなる本発明の嵌合式屋根材によれば、屋根材本体に、幅方向の中央部をその長手方向に沿って隆起させた山部と、該山部、上ハゼ、下ハゼを相互につなぐ板状体にて構成することとしたため、該山部を屋根材の模様として視認させることが可能となり、美観の改善を図ることができる。
【００２２】
また、上記の構成からなる本発明の嵌合式屋根材によれば、屋根材本体を、下向きに凸となる湾曲断面形状をなす板状体から構成することししたため、強風等により屋根材本体に負圧がかかっても簡単に浮き上がることがない。
【００２３】
また、上記の構成からなる本発明の嵌合式屋根材によれば、屋根材本体の裏面に、断熱材を貼付することとしたため、断熱効果を高めることができる。
【００２４】
また、上記の構成からなる嵌合式屋根材の接続構造によれば、屋根材本体の短尺縁部に設けた継手片に、隣接配置する他の屋根材の前記短尺縁部と同等の短尺縁部を重ね合わせて屋根材同士を梁間方向に接続し、前記屋根材本体の下ハゼに、他の屋根材の前記上ハゼと同等の上ハゼを嵌合させて屋根材同士を桁方向に接続するようにしたため、屋根材つなぎあわせに当たって余計な部材を必要としない単一部材で構成することが可能となり、屋根材同士を効率的につなぎ合わせることができる。
【００２５】
また、本発明による上記の構成からなる嵌合式屋根材の接続方法によれば、屋根材本体の短尺縁部に設けた継手片に、隣接配置する他の屋根材の短尺縁部を重ね合わせるとともに、該他の屋根材の上ハゼ、下ハゼを、屋根材本体の第一のハゼ、第二のハゼに嵌合させて屋根材同士を梁間方向に接続し、これを、棟に達するまで継続して行うことにより屋根材を設置し、その梁間方向の接続作業が完了したならば、既に設置した屋根材の屋根材本体の下ハゼに、隣接配置する他の屋根材の上ハゼを嵌合させるとともに、梁間方向に接続した他の屋根材の下ハゼに第一のハゼを嵌合させて屋根材同士を桁方向に接続しつつ既に設置した屋根材と同様の作業を、棟に達するまで継続して行うことにより次の列の屋根材を設置し、以降、この作業を繰り返し行うようにしたため、縦葺き屋根を比較的簡単な作業のもとに葺きあげることができる。
【００２６】
さらに、本発明による、上記の構成からなる嵌合式屋根材の接続方法によれば、屋根材本体の下ハゼと第二のハゼに、隣接配置する他の屋根材の上ハゼ、第一のハゼを嵌合させて屋根材同士を桁方向に接続し、これを一方の「けらば」からもう一方の「けらば」に達するまで継続して行うことにより屋根材を設置し、その桁方向の接続作業が完了したならば、既に固定した屋根材の棟側で、前記屋根材本体の短尺縁部に設けた継手片に、隣接配置する他の屋根材の短尺縁部を重ね合わせるとともに、前記第一のハゼに、該他の屋根材の上ハゼを嵌合させる一方、桁方向に接続した他の屋根材の第一のハゼに、該他の屋根材の下ハゼを嵌合させて屋根材同士を梁間方向に接続しつつ、既に固定した屋根材と同様の作業を、一方の「けらば」からもう一方の「けらば」に達するまで継続して行うことにより次の段の屋根材を設置し、以降、この作業を繰り返し行うようにしたため、横葺き屋根を比較的簡単な作業のもとに葺きあげることができる。
【図面の簡単な説明】
【００２７】
【図１】図１は、本発明に従う嵌合式屋根材の実施の形態を示した外観斜視図である。
【図２】図２は、図１に示した屋根材の正面を示した図である。
【図３】図３は、図１に示した屋根材の背面を示した図である。
【図４】図４は、図１に示した屋根材の平面を示した図である。
【図５】図５は、図１に示した屋根材の左側面を示した図である。
【図６】図６は、図１に示した屋根材の右側面を示した図である。
【図７】図７は、図４のＡ−Ａ断面を示した図である。
【図８】図８は、建築構造物の屋根の葺きあげ要領の説明図である。
【図９】図９は、図１に示した屋根材を用いて屋根を葺きあげる際の施工要領の説明図である。
【図１０】図１０は、上ハゼ、下ハゼ、第一のハゼ、第二のハゼの嵌合状態を示した図であり、（ａ）は、縦葺き屋根として葺きあげる場合の嵌合状態を示した図であり、（ｂ）は、上ハゼの形状を変更した場合の嵌合状態を示した図である。
【図１１】図１１は、本発明に従う嵌合式屋根材の他の実施の形態を示した外観斜視図である。
【図１２】図１２は、図１１に示した屋根材の正面を示した図である。
【図１３】図１３は、図１１に示した屋根材の背面を示した図である。
【図１４】図１４は、図１１に示した屋根材を用いて屋根を葺きあげる際の施工要領の説明図である。
【図１５】図１５は、図１１〜１４に示した屋根材の上ハゼ、下ハゼ、第一のハゼ、第二のハゼの嵌合状態を示した図である。
【図１６】図１６は、本発明に従う屋根材の他の実施の形態を示した図である。
【図１７】図１７は、本発明に従う屋根材の他の実施の形態を示した図である。
【図１８】図１８は、本発明に従う屋根材の他の実施の形態を示した図である。
【図１９】図１９は、本発明に従う屋根材の他の実施の形態を示した図である。
【図２０】図２０は、屋根材の裏目に断熱材を貼付した例を示した図である。
【図２１】図２１は、本発明に従う屋根材の他の実施の形態を示した図であり、（ａ）は、上ハゼと下ハゼを重ね合わせた一般重ねの状態を示した図であり、（ｂ）は、第二のハゼを一番下内側にして下ハゼ、第一のハゼ、上ハゼを順次重ね合わせた４枚重ねの状態を示した図である。
【図２２】図２２は、本発明に従う屋根材を使用して建築構造物の屋根を葺き上げた状態を示した図である。
【発明を実施するための形態】
【００２８】
以下、図面を参照して、本発明をより具体的に説明する。
図１は、本発明に従う嵌合式屋根材の実施の形態を示した外観斜視図であり、図２はその正面を示した図であり、図３はその背面を示した図であり、図４は、その平面を示した図であり、図５、図６は、左側面、右側面をそれぞれ示した図である。
【００２９】
なお、本発明において、隣接配置する他の屋根材とは、梁間方向に隣接配置される屋根材及び桁方向に配置される屋根材であって、本発明に従う屋根材と同じ構成からなるものを意味している。
【００３０】
図における符号１は、亜鉛めっき鋼板、アルミニウム亜鉛合金めっき鋼板、銅板、アルミニウム板、ステンレス鋼板および、それらの塗装または被覆鋼板等によって形成することができる屋根材本体である（基本的には、屋根材の全てが同等の材料から構成される）。
【００３１】
この屋根材本体１は、縁部において半径Ｒの円弧によって段部が形成された底の浅いフランジ付き溝型断面形状をなす板状体を例として示してあり、梁間方向に沿って延伸する一対の長尺縁部１ａ、１ｂと、これら長尺縁部１ａ、１ｂを挟み込んで桁方向に沿って延伸する一対の短尺縁部１ｃ、１ｄによって区画された、全体として矩形状をなす輪郭形状を有している。なお、短尺縁部１ｄには、屋根材のつなぎ合わせに際して屋根材同士を水平、かつ、平坦に重ね合わせるための折り返し片１ｄ１が形成されている（図１、図７参照）。
【００３２】
また、２は、屋根材同士をつなぎ合わせる際に、隣接配置する他の屋根材の下ハゼに嵌合する上ハゼである。
【００３３】
この上ハゼ２は、図２に示すように、長尺縁部１ａから立ち上がる傾斜側板２ａと、この傾斜側板２ａの上端に係止顎部ｔ１を介してつながるとともに、隣接配置する他の屋根材の下ハゼに嵌合可能な内部空間Mを有する先端先細り形状をなすドーム型の頭部２ｂと、この頭部２ｂに係止顎部ｔ２を介して垂下、保持され、傾斜側板２ａとの相互間にて断面ハの字型の下開き開口を形成する傾斜側板２cとから構成されている。上記上ハゼ２は、頭部２ｂの側壁に長尺縁部１ａに沿って延伸する凹部２ｂ１、２ｂ２を設けたものを例として示してあり、これにより、下ハゼに嵌合させた際に、その相互間で面接触するのを避けて雨水等の侵入を防止する。
【００３４】
また、３は、屋根材同士をつなぎ合わせる際に、隣接配置する他の屋根材の上ハゼに嵌合する下ハゼである。
【００３５】
この下ハゼ３は、長尺縁部１ｂから立ち上がる傾斜側板３ａと、この傾斜側板３ａの上端に係止顎部ｔ３を介してつながるとともに、隣接配置する他の屋根材の上ハゼに嵌合可能な内部空間Ｎを有する先端先細り形状をなすドーム型の頭部３ｂと、この頭部３ｂに係止顎部ｔ４を介して垂下、保持され、傾斜側板３ａとの相互間にて断面ハの字型の下開き開口を形成する傾斜側板３ｃと、この傾斜側板３ｃの下端に水平姿勢でもって一体的につながる固定用舌片３ｄから構成されている。
【００３６】
係止顎部ｔ１と係止顎部ｔ２とは相互に逆向きに突出していて、両者でもって嵌合させたハゼの引き抜けを防止する。また、係止顎部ｔ３と係止顎部ｔ４とは、上記の係止顎部ｔ１、係止顎部ｔ２と同様に、相互に逆向きになっており、両者でもって嵌合させたハゼの引き抜けを防止する。
【００３７】
４は、屋根材本体１の短尺縁部１ｃに設けられた継手片である。この継手片４は、屋根材本体１と同様のフランジ付の溝型断面形状をなす板状体にて形成され、屋根材本体１の短尺縁部１ｃに沿って延伸する幅を有している。そして、その長手方向に沿う断面は、図７に示すように、該継手片４の上面が、屋根材本体１の上面よりも低くなるように段差ｄを形成して一体的につながっており、末端部には、隣接配置する屋根材との重ね合わせに際して該屋根材を支えるための折り返し部４ａが設けられている。
【００３８】
上記段差ｄは、隣接配置する他の屋根材の短尺縁部の重ね合わせに際して屋根材相互間において平坦な表面を形成する段差代に設定される。また、継手片４の幅寸法Ｗ１は、隣接配置する他の屋根材とのつなぎ合わせに際して相互に確実に重ね合わせることができるように、屋根材本体１の幅寸法Ｗよりも若干広くなっている（図２、図３参照）。
【００３９】
５は、継手片４の縁部に設けられた第一のハゼである。この第一のハゼ５は、上ハゼ２の長手方向の端部に段差dを介してつながっており、隣接配置する他の屋根材の、上ハゼ２の内部空間Mに下開き開口を通して嵌合可能な頭部５ａと、この頭部５ａおよび継手片４を相互に連結する傾斜側板５ｂとを備えている。頭部５ｂの外側における側壁は、その下辺部をカットしたものを例として示してあり、内側に位置する側壁下部には、係止顎部ｔ１〜ｔ４と同様の、引抜け防止用の係止顎部ｔ５が形成されている（図３参照）。
【００４０】
６は、継手片４に設けられた第二のハゼである。この第二のハゼ６は、下ハゼ３の長手方向の端部に段差dを介してつながり、隣接配置する他の屋根材の下ハゼの内部空間Ｎに下開き開口を通して嵌合可能な頭部６ａと、この頭部６ａの下端につながり、断面ハの字型の下開き開口を形成する傾斜側板６ｂ、６ｃと、傾斜側板６ｃの下端に一体的につながる固定用舌片６ｄから構成されている。頭部６ａには、引き抜け防止用の係止顎部ｔ６、ｔ７、が形成されている。
【００４１】
上記の第一のハゼ５は、その頭部５ａが、第二のハゼ６よりも大きく、かつ、隣接配置する他の屋根材の下ハゼ３を嵌合可能に保持することができる内部空間Ｎ１を有している。
【００４２】
また、下ハゼ３は、成型加工の際に、その頭部３ｂのサイズを大きくして、隣接配置する他の屋根材の第一のハゼ５の頭部５ａを嵌合可能に保持する内部空間を形成することができるようになっている。
【００４３】
さらに、図における符号７は、継手片４の上面に設けられた複数の水切り傾斜リブである。この水切り傾斜リブ７は、その断面を図７に示すように、断面三角形状をなすとともに両端にＲ加工を施したものが適用され、屋根材の接続部（つなぎ合わせ部）から侵入した雨水を屋根材本体１の幅方向端部に向けて誘導するものであって、これにより、防水性を高めるべく、該雨水を、第一のハゼ５、第二のハゼ６、上ハゼ２、下ハゼ３に沿わせて速やかに軒に向けて流下させることができるようになっている。
【００４４】
水切り傾斜リブ７は、屋根材同士を重ね合わせたとき、屋根材の相互間において平坦な外表面が形成されるような突出代ｅに設定される（図７参照）。
【００４５】
上記の構成からなる屋根材を用いて建築構造物の屋根を構築するには、以下の要領に従って施工すればよい。
【００４６】
まず、図８に示すように、野地板に、二次防水紙のアスファルトルーフィングを敷設し、軒先に軒先水切りを取付ける。
【００４７】
そして、屋根材の働き幅に合わせて割付、墨出しを行い、図９に示すように、屋根の「けらば」の軒から墨出しに合わせて一列・一段目の屋根材を配置して下ハゼ３の固定用舌片３ｄ、固定用舌片６ｄをビスあるいは釘等で野地板若しくは母屋に固定する。なお、ビスや釘等の間隔は、必要に応じて調整する。
【００４８】
次に、一列・二段目の屋根材（隣接配置する他の屋根材）を棟側で継手片４に重ね合わせるように配置して既に固定した一列・一段目の屋根材の第一のハゼ５、第二のハゼ６に、一列・二段目の屋根材の上ハゼ２、下ハゼ３を嵌合させ、これを、棟に達するまで継続して行う。
【００４９】
二列・一段目については、既に設置した一列・一段目の屋根材の下ハゼ３に、上ハゼ２を嵌合させるとともに、梁間方向に接続した一列・二段目の屋根材の下ハゼ３に、第一のハゼ５を嵌合させる。
【００５０】
そして、二列・二段目に配置する他の屋根材については、棟側において継手片４に重ね合わせるべく、上ハゼ２を、二列・一段目の屋根材の第一のハゼ５に嵌合させる一方、下ハゼ３を、二列・一段目の第二のハゼ６に嵌合させ、三列・一段目以降、この作業を、梁間方向、桁方向において繰り返し行う。
【００５１】
上記の施工要領は、上ハゼ２、下ハゼ３、第一のハゼ５、第二のハゼ６の頭部２ｂ、３ｂ、５ａ、６ａのサイズを、頭部２ｂ＞頭部５ａ＞頭部３ｂ＞頭部６ａとなるように成形した屋根材を適用し図１０（ａ）に示すような嵌合状態に保持して縦葺き屋根として葺きあげる場合について説明したものであり、屋根材同士をつなぎ合わせるための余計な部材は不要で、効率的な作業が可能となる。図１０（ｂ）に、上ハゼ２の形状を変更した場合の嵌合状態の例を示す。
【００５２】
なお、屋根材は、段差ｄが形成された継手片４において重ね合わさるとともに、上ハゼ２、下ハゼ３は、基本的には、段差ｄが形成された第一のハゼ５、第二のハゼ６に嵌合するため、接続部は平坦に仕上げられることとなり、重ね合わせ面に段差が形成されることがない。
【００５３】
次に、図１１〜図１３は、長尺縁部１ａ、１ｂを短縮（短尺化）するとともに、上ハゼ２、下ハゼ３、第一のハゼ５、第二のハゼ６の頭部２ｂ、３ｂ、５ａ、６ａの形状を変更するとともに、そのサイズを、頭部２ｂ＞頭部３ｂ＞頭部５ａ＞頭部６ａとなるように構成した本発明に従う他の屋根材を示した図である。
【００５４】
かかる構成の屋根材を用いて建築構造物の屋根を構築するには、野地板に、二次防水紙のアスファルトルーフィングを敷設し、軒先に軒先水切りを取付ける。
【００５５】
そして、屋根材の働き幅に合わせて割付、墨出しを行い、図１４に示すように、屋根の「けらば」の軒から墨出しに合わせて屋根材（一列・一段目の屋根材）を配置して下ハゼ３の固定用舌片３ｄ、第二のハゼ６の固定用舌片６ｄをビスあるいは釘等で野地板若しくは母屋に固定する。
【００５６】
次に、二列・一段目の屋根材（隣接配置する屋根材）の上ハゼ２、第一のハゼ５を、既に配置した一列・一段目の屋根材の下ハゼ３、第二のハゼ６に嵌合させ、この作業を、三列・一段目以降、桁方向に沿い継続して行う。
【００５７】
桁方向に沿う屋根材の接続を終えたならば、一列・二段目の屋根材を、既に固定した一列・一段目の屋根材の棟側で継手片４に重ね合わせるように配置して、その第一のハゼ５に、一列・二段目の屋根材（棟側において隣接配置する他の屋根材）の上ハゼ２を嵌合させる一方、二列・一段目にて桁方向において接続した屋根材の第一のハゼ５に、下ハゼ３を嵌合させて屋根材同士を梁間方向に接続する。
【００５８】
この作業は、もう一方の「けらば」に達するまで継続して行われ、以降、この作業を、桁方向、梁間方向において交互に繰り返し行う。
【００５９】
上記の施工要領は、本発明に従う屋根材を、横葺き屋根として葺きあげる場合について説明したものであり、この場合も、屋根材同士をつなぎ合わせるための余計な部材は不要で、効率的な作業が可能となる。
【００６０】
上掲図１１〜１４に示した屋根材の上ハゼ２と、下ハゼ３、第一のハゼ５、第二のハゼ６の嵌合状態を図１５に示す。
【００６１】
とくに、縦葺きタイプの屋根材は、防水上、梁間方向における屋根材同士の接続に不安があるため、通常は、軒から棟に至るまでの長さを有する一枚ものとして成型するのが普通であるが、その場合、運搬が困難な長さを有する屋根材については、現地で成型していた。
【００６２】
ところで、現地での成型では、工場で成型する場合と比較して成型設備の現地搬入と、その成型管理が不可欠であり、多大な費用と労力を費やすのが避けられない。
【００６３】
本発明の屋根材は、梁間方向における防水性を高めたうえで屋根材同士を確実につなぎ合わせることを可能とするものであり、屋根材そのものの長さを短くできるため、工場で成型したものをそのまま使用することができる（屋根材の定尺化が可能）。また、本発明の屋根材は、在庫生産が行え、現地での成型管理が不要となる利点がある。
【００６４】
図１６は、上掲図１、図１０に示した屋根材の屋根材本体１につき、その幅方向中央部を長手方向に沿って隆起させた断面M字形状をなす山部８を設けた、本発明に従う屋根材の他実施の形態をその断面について示した図であり、図１７は、屋根材本体１を、その幅方向の中央部をその長手方向に沿って隆起させた断面M字形状をなす山部８と、一端が山部８につながり、他端が上ハゼ２の傾斜側板２ａ、下ハゼ３の傾斜側板３aにそれぞれ一体連結するフラットな板状体９によって構成した、本発明に従う屋根材の他の実施の形態をその正面について示した図である。
【００６５】
かかる構造の屋根材は、該山部８を屋根材の立体的な模様として視認させることができるものであって、意匠的に美観に優れた屋根の葺きあげが可能となる。
【００６６】
さらに、図１８は、屋根材本体１を、下向きに凸となる湾曲断面形状をなす板状体１０にて構成した本発明に従う屋根材のさらに他の実施の形態をその正面について示した図であり、図１９は、屋根材本体１の幅方向の中央部に山部８を設けるとともに、この山部８と上ハゼ２の傾斜側板２ａ、下ハゼ３の傾斜側板３ａとの相互間に下向きに凸となる湾曲断面形状をなす板状体１１を設けた例をその正面について示した図である。
【００６７】
上掲図１８、図１９に示した屋根材は、屋根材を、予め極わずかに湾曲させて形成しておき、平坦な野地板に配置したときに板状体１０、板状体１１が平坦になるように屋根材の弾性を利用して形状を変形させることを可能とするものであり、これにより、屋根材が常に野地板に押さえつけられ、重ね合わせ部の浮き上がりを防止することが可能となり、風や雨水の侵入を防止することができる。また、強風による影響等で該屋根材に負圧がかかってもその浮き上がりを確実に抑制し得る。
【００６８】
屋根材本体１の断面形状や上ハゼ２、下ハゼ３、第一のハゼ５、第二のハゼ６の断面形状は適宜変更することが可能であり、図示したものに限定されることはない。
【００６９】
図２０は、屋根材本体１の裏目に断熱材１２を貼付した屋根材の構成例を示した図である。本発明においては、図に示したように、屋根材本体１の裏面に断熱材１２を貼付しておくことも可能であり、これによって断熱効果を高めることもできる。
【００７０】
本発明では、継手片４に水切り傾斜リブ７を設けることにより屋根材の接続部から侵入する雨水を速やかに排出する例を示したが、継手片４と隣接配置する屋根材との相互間に両者に当接する防水テープの如き防水手段１３を設けておくことも可能であり（図７参照）、これにより、防水性をより一層高めることができる。
【００７１】
図２１（ａ）（ｂ）は、本発明に従う屋根材のさらに他の例を、上ハゼ２と下ハゼ３とを重ね合わせた一般重ねの状態と、第一のハゼ５、第二のハゼ６を重ね合わせた４枚重ねの状態についてそれぞれ示した図である。
【００７２】
上記の構成からなる屋根材は、上ハゼ２の傾斜側壁２ａ、２ｃ、下ハゼ３の頭部３ｂの側壁を内側に向けて凸となるように上下方向の中央部で屈曲させるとともに、第一のハゼ５の頭部５ａにおける側壁を、上ハゼ２の傾斜側壁２ｃ、下ハゼ３の傾斜側壁３ｃの屈曲部よりも上部でカットした構造のものである。
【００７３】
かかる構成により、第一のハゼ５の傾斜側壁５ｃとの干渉を避けて、上ハゼ２係止顎部ｔ２を下ハゼ３の係止顎部ｔ３に確実に引っ掛けることが可能となる。
【００７４】
本発明の屋根材を使用して葺きあげた建築構造物の屋根の完成状態を図２２に示す。
【産業上の利用可能性】
【００７５】
本発明によれば、高い防水性を保持したままで屋根材同士を確実につなぎ合わせることができるため、屋根材の定尺化が可能であり、現地における屋根材の成型が不要となる。
【００７６】
また、本発明によれば、屋根材を、屋根材同士をつなぎ合わせるための余計な部材が不要な単一部材で構成することが可能であり、効率的な葺きあげ作業が実現できる。
【符号の説明】
【００７７】
１        屋根材本体
１ａ      長尺縁部
１ｂ      長尺縁部
１ｃ      短尺縁部
１ｄ      短尺縁部
２        上ハゼ
２ａ      傾斜側板
２ｂ      頭部
２ｃ      傾斜側板
３        下ハゼ
３ａ      傾斜側板
３ｂ      頭部
３ｃ      傾斜側板
４        継手片
５        第一のハゼ
５ａ      頭部
５ｂ      傾斜側板
６        第二のハゼ
６ａ      頭部
６ｂ      傾斜側板
６ｃ      傾斜側板
７        水切り傾斜リブ
８        山部
９        板状体
１０      板状体
１１      板状体
１２      断熱材
１３      防水手段
ｄ       段差
ｔ１〜ｔ７    係止顎部  
M        内部空間
Ｎ        内部空間
Ｎ１        内部空間
【図１】
0005694914.tif 000002
【図２】
0005694914.tif 000003
【図３】
0005694914.tif 000004
【図４】
0005694914.tif 000005
【図５】
0005694914.tif 000006
【図６】
0005694914.tif 000007
【図７】
0005694914.tif 000008
【図８】
0005694914.tif 000009
【図９】
0005694914.tif 000010
【図１０】
0005694914.tif 000011
【図１１】
0005694914.tif 000012
【図１２】
0005694914.tif 000013
【図１３】
0005694914.tif 000014
【図１４】
0005694914.tif 000015
【図１５】
0005694914.tif 000016
【図１６】
0005694914.tif 000017
【図１７】
0005694914.tif 000018
【図１８】
0005694914.tif 000019
【図１９】
0005694914.tif 000020
【図２０】
0005694914.tif 000021
【図２１】
0005694914.tif 000022
【図２２】
0005694914.tif 000023